(57)【要約】【課題】本発明は、静電容量式タッチパネル上に設定された測定点に正確に対応する位置の静電容量式タッチパネル上の座標を取得することを目的とする。【解決手段】静電容量式タッチパネル上に設定された測定点に対し、無接地状態の導電性物体を前記静電容量式タッチパネルとの接触面積の重心が前記測定点上に位置するように配置し、配置後に無接地状態の導電性物体を接地する。静電容量式タッチパネルから出力される位置情報に基づき算出された導電性物体により特定された測定点に対応する位置の静電容量式タッチパネル上の座標値を取得する。【選択図】図６
2014056288.tif 000002
【特許請求の範囲】
【請求項１】
静電容量式タッチパネル上に設定された測定点に対し、無接地状態の導電性物体を前記静電容量式タッチパネルとの接触面積の重心が前記測定点上に位置するように配置するステップと、
前記無接地状態の導電性物体を接地するステップと、
前記静電容量式タッチパネルから出力される位置情報に基づき算出された前記導電性物体により特定された測定点に対応する位置の静電容量式タッチパネル上の座標値を取得するステップを有する静電容量式タッチパネルの位置情報取得方法。
【請求項２】
上下に開口部を有する筒状の非導電性材料で構成されたケースと、
前記ケース内において上下動自在に配置した導電性の位置指定体と、
前記位置指定体を前記ケースと連結させ、前記ケース内において下方に付勢し、位置指定体の下端をケース外へ突出させる弾性部材を備え、
前記位置指定体の上端は、下端を前記弾性部材による付勢に抗して前記ケース内に押し込んだ際に、前記ケースの上方の開口部からケース外に突出する構成を備えた静電容量式タッチパネルの位置情報取得装置。
【請求項３】
請求項２記載の構成を直線状に複数備えたことを特徴とする静電容量式タッチパネルの位置情報取得装置。
【発明の詳細な説明】
【技術分野】
【０００１】
本発明は、静電容量式タッチパネル上に設定された測定点に正確に対応する位置の静電容量式タッチパネル上の座標を取得する静電容量式タッチパネルの位置情報取得方法および位置情報取得装置に関する。
【背景技術】
【０００２】
現在広く普及している抵抗膜方式のタッチパネルは、押下力でユーザの入力位置を検出するためタッチパネル上に設定された測定点を正確に押下し、測定点に正確に対応する位置のタッチパネル上の座標を取得することは容易にできる。
【０００３】
位置認識精度を高めた抵抗膜方式のタッチパネルとして、例えば文献１に示すものがある。
【先行技術文献】
【特許文献】
【０００４】
【特許文献１】特開平９−１０１８５４号公報
【発明の概要】
【発明が解決しようとする課題】
【０００５】
しかしながら静電容量式タッチパネルでは、接地状態にある導電性物体のパネル接触時の接触面積の重心が入力位置として検出され、φ７ミリ〜８ミリ程度の接触面積が確保出来た瞬間に入力位置が特定される。そのため、静電容量式タッチパネル上に設定された測定点に正確に対応する位置の静電容量式タッチパネル上の座標を取得するためには、接地状態にある導電性物体の接触面積の重心が測定点に位置するように接触面全体を同時に静電容量式タッチパネルに当てる必要があり、測定点に正確に対応する位置の静電容量式タッチパネル上の座標を取得することが困難となっている。
【０００６】
本発明は、静電容量式タッチパネル上に設定された測定点に正確に対応する位置の静電容量式タッチパネル上の座標を取得することを目的とする。
【課題を解決するための手段】
【０００７】
請求項１記載の本発明の静電容量式タッチパネルの位置情報取得方法は、静電容量式タッチパネル上に設定された測定点に対し、無接地状態の導電性物体を前記静電容量式タッチパネルとの接触面積の重心が前記測定点上に位置するように配置するステップと、前記無接地状態の導電性物体を接地するステップと、前記静電容量式タッチパネルから出力される位置情報に基づき算出された前記導電性物体により特定された測定点に対応する位置の静電容量式タッチパネル上の座標値を取得するステップを有するものである。
【０００８】
請求項２記載の本発明の静電容量式タッチパネルの位置情報取得装置は、上下に開口部を有する筒状の非導電性材料で構成されたケースと、前記ケース内において上下動自在に配置した導電性の位置指定体と、前記位置指定体を前記ケースと連結させ、前記ケース内において下方に付勢し、位置指定体の下端をケース外へ突出させる弾性部材を備え、前記位置指定体の上端は、下端を前記弾性部材による付勢に抗して前記ケース内に押し込んだ際に、前記ケースの上方の開口部からケース外に突出する構成を備えたことを特徴とするものである。
【０００９】
請求項３記載の本発明の静電容量式タッチパネルの位置情報取得装置は、請求項２記載
の構成を直線状に複数備えたことを特徴とするものである。
【発明の効果】
【００１０】
本発明によれば、予め無接地状態の導電性物体を静電容量式タッチパネルとの接触面積の重心が測定点に位置するように配置し、配置後に導電性物体を接地状態とすることにより、静電容量式タッチパネル上に設定された測定点に正確に対応する位置の静電容量式タッチパネル上の座標を取得することができる。
【図面の簡単な説明】
【００１１】
【図１】本発明の位置情報取得方法及び装置を適用する静電容量式タッチパネル装置の概念図
【図２】本発明の実施の形態における測定点が設定された静電容量式タッチパネルを示す概念図
【図３】本発明の実施の形態における導電性物体の断面図
【図４】本発明の実施の形態における導電性物体が測定点に配置された状態を上から見た鳥瞰図
【図５】本発明の実施の形態における導電性物体が測定点に配置された状態を横から見た鳥瞰図
【図６】本発明の実施の形態における導電性物体を接地状態にした状況を示す概念図
【図７】本発明の実施の形態における位置情報取得方法を示すフローチャート
【図８】本発明の実施の形態における位置情報取得装置の構造を説明する断面図
【図９】本発明の実施の形態における位置情報取得時の位置情報取得装置を説明する断面図
【図１０】本発明の実施の形態における位置情報取得装置の外観図
【発明を実施するための形態】
【００１２】
以下、本発明の一実施形態にかかる静電容量式タッチパネルの位置情報取得方法および装置について図面を用いて説明する。
【００１３】
図１は、本発明の位置情報取得方法及び装置を適用する静電容量式タッチパネル装置を示す概念図である。図１において静電容量式タッチパネル１は、接地状態の導電性物体が接触し、接触物、即ち導電性物体の静電容量変化が起こり静電容量式タッチパネルの内部を流れる電流量がある閾値を越えると、その際に接触している面積の重心が入力位置として判定され、その位置情報を示す信号が制御マイコン２に出力される。制御マイコン２は、静電容量式タッチパネル１から出力された信号から入力位置として判定された点の静電容量式タッチパネル上の座標値を算出し出力する。
【００１４】
本発明の位置情報取得方法及び装置は、この静電容量式タッチパネル上に設定された測定点に正確に対応する位置を入力位置として、静電容量式タッチパネル上の座標値を取得するものである。
【００１５】
図２は、測定点が設定された静電容量式タッチパネルを示す概念図である。図２において、タッチパネルのサイズは８インチであり、２５個の測定点３が設定されている。
【００１６】
図３は、測定点に正確に対応する位置を入力位置として特定するために静電容量式タッチパネル上に配置する導電性物体の断面図である。本実施の形態では、接触面積の重心が分かりやすい、接触面が円形の導電性物体を用いている。
【００１７】
また、測定点が可視可能なように中心を空洞にしており、下端（接触面）の面積は、人間の指及び入力位置を特定するために必要な接触面積を考慮し、約１００平方ミリメート
ルになっている。
【００１８】
図４は、導電性物体が測定点上に配置された状態を上から見た図であり、接触面積の重心が測定点に設置されていることが、空洞を介しても分かる。図５は導電性物体が測定点上に配置された状態を横から見た図である。図４、図５に示す状態では導電性物体は無接地状態であり、容量変化は生じず、静電容量式タッチパネル内を電流がながれることはない。
【００１９】
図６は、測定点上に配置された導電性物体を接地状態にした状況を示す概念図である。指で導電性物体の上端を触れることにより導電性物体は接地され、容量変化が生じ、電流量が閾値を越え、接触している面積の重心、即ち、測定点に対応する位置が入力位置として判定され、入力位置を示す信号が制御マイコン２に出力される。
【００２０】
制御マイコン２は静電容量式タッチパネルから出力された信号から入力位置として判定された点、即ち、測定点に正確に対応する位置の静電容量式タッチパネル上の座標値を算出し出力する。
【００２１】
本実施の形態では、一つの測定点に一つの導電性物体を配置した例を説明したが、表面型の静電容量式タッチパネルに対しては、複数の測定点に複数個の導電性物体を配置し、順次接地状態としていくことで、測定点に正確に対応する位置の静電容量式パネル上の座標値を順次取得していくことが可能である。また、投影型の静電容量式タッチパネルでは、複数の測定点に複数個の導電性物体を配置し同時に接地することで、一度に複数の測定点に正確に対応する位置の座要値を得ることができる。
【００２２】
図７は、本発明の実施の形態における位置情報取得方法を示すフローチャートである。まず、静電容量式タッチパネル上に設定された測定点に対し、無接地状態の導電性物体を静電容量式タッチパネルとの接触面積の重心が測定点上に位置するように配置する（ステップ１）。次に、無接地状態の導電性物体を接地する（ステップ２）。そして、静電容量式タッチパネルから出力される導電性物体により特定された測定点に対応した位置の情報から、制御マイコン２が算出した静電容量式タッチパネル上の座標値を取得する（ステップ３）。
【００２３】
以上のように本実施の形態における位置情報取得方法によれば、接地状態の電導性物体を静電容量式タッチパネルに接触させるのではなく、予め測定点に無接地状態の導電性物体をその接触面積の重心が位置するように配置し、その後接地状態にすることにより、測定点に正確に対応する位置の静電容量式タッチパネル上の座標値を取得することができる。
【００２４】
次に、図８、図９、図１０を用いて、本発明の一実施形態にかかる静電容量式タッチパネルの位置情報取得装置について説明する。
【００２５】
図８は、本実施の形態における位置情報取得装置の構造を説明するための断面図であり、静電容量式タッチパネルの測定点上に設置された状態を示す図である。本発明の位置情報取得装置は、上下に開口部を有する筒状の非導電性材料で構成されたケース８１と、ケース内において上下動自在に配置した導電性の位置指定体８２と、位置指定体８２をケース８１と連結し、ケース８１内において下方に付勢し、位置指定体８２の下端をケース８１外へ突出させる弾性部材としてのバネ８３を備えている。
【００２６】
図８において位置指定体８２は図３で説明した導電性物体と同じ形状をしており、静電容量式タッチパネルとの位置関係は図４、図５に示す関係にある。即ち、位置指定体８２
の接触面積の重心が測定点に位置するように配置されている。
【００２７】
図９は、位置情報取得時の断面図であり、位置指定体８２の上端は、下端をバネ８３による付勢に対抗してケース８１内に押し込んだ際に、ケース８１の上方の開口部からケース８１外に突出する構成となっており、突出した上端を手で触れることにより導電性の位置指定体８２を接地状態とすることができる。即ち、図６に示す状態と同じ状態になり、制御マイコン２から位置指定体８２によって特定された測定点に対応する位置の静電容量式タッチパネル上の座標値が出力される。
【００２８】
図１０は、図８、図９で示した構成を直線状に５個、位置指定体８２の中心間の間隔を測定点の間隔として配置した位置情報取得装置の概観図である。これを静電容量式タッチパネル上に配置し、下方に押圧することにより、５個の位置指定体８２の先端部がケース外に突出する。
【００２９】
表面型の静電容量式タッチパネルであれば、突出した先端部を順に手で触れてゆくことにより、位置指定体８２で特定された測定点に対応した５つの位置の静電容量式タッチパネル上の座標値を取得することができる。
【００３０】
また、投影型の静電容量式タッチパネルであれば、５個同時に接地状態とし、一度に位置指定体８２で特定された測定点に対応した５つの位置の電容量式タッチパネル上の座標値を一度に取得することができる。
【００３１】
尚、本実施の形態では直線状に５個の位置指定体８２を配置した例を示したが、タッチパネル上の全測定点に対応して位置指定体８２を配置する構成としても同じ効果を得られることは明らかである。
【産業上の利用可能性】
【００３２】
以上のように本発明は、静電容量式タッチパネル上に設定された測定点に正確に対応する位置の静電容量式タッチパネル上の座標値を取得することができ、静電容量式タッチパネルにおけるキャリブレーション等に利用することができる。
【符号の説明】
【００３３】
１  静電容量式タッチパネル
２  制御マイコン
３  測定点
８１  ケース
８２  位置指定体
８３  バネ
【図１】
2014056288.tif 000003
【図２】
2014056288.tif 000004
【図３】
2014056288.tif 000005
【図４】
2014056288.tif 000006
【図５】
2014056288.tif 000007
【図６】
2014056288.tif 000008
【図７】
2014056288.tif 000009
【図８】
2014056288.tif 000010
【図９】
2014056288.tif 000011
【図１０】
2014056288.tif 000012